(57)【要約】      （修正有）【課題】封筒や箸入れなどの袋状の物や袋状の構造の名刺を容易に作成することができる印刷シートを提供する。【解決手段】四角形状の印刷シート１の表面に印刷面２を形成するとともに、印刷シート１の上辺側縁部及び下辺側縁部の裏面にだけ粘着面５，６を形成し、印刷シート１の右辺側縁部に凹部１１を形成することにした。また、印刷シート１の上辺側縁部と下辺側縁部の粘着面５，６で接着した袋状の構造の名刺を形成することにした。【選択図】図１
0003136590.tif 000002
【実用新案登録請求の範囲】
【請求項１】
四角形状の印刷シートの表面に印刷面を形成するとともに、印刷シートの上辺側縁部及び下辺側縁部の裏面にだけ粘着面を形成し、印刷シートの右辺側縁部に凹部を形成したことを特徴とする印刷シート。
【請求項２】
四角形状の印刷シートの表面に印刷面を形成するとともに、印刷シートの上辺側縁部及び下辺側縁部の裏面にだけ粘着面を形成し、印刷シートの右辺側縁部に凹部を形成し、さらに、印刷シートの上辺側縁部と下辺側縁部の粘着面で接着した袋状の構造としたことを特徴とする名刺。
【考案の詳細な説明】
【技術分野】
【０００１】
本考案は、表面に印刷面を形成するとともに裏面に粘着面を形成した印刷シート及び同印刷シートを用いた名刺に関するものである。
【背景技術】
【０００２】
従来より、コンピュータの普及に伴って、コンピュータに接続したプリンターを用いて専用の用紙で宛名用のラベルや名刺を容易に作成することができるようになった。
【０００３】
たとえば、宛名用のラベルは、表面に印刷面を形成するとともに裏面全面に粘着力の強い粘着面を形成した印刷シートを台紙に複数枚並べて粘着した構成の用紙を用いることで容易に作成することができ、また、名刺は、表面に印刷面を形成するとともに裏面全面に粘着力の弱い粘着面を形成した印刷シートを台紙に複数枚並べて貼着した構成の用紙を用いることで容易に作成することができる（たとえば、特許文献１参照。）。
【０００４】
【特許文献１】特開平１１−１７０７４５号公報
【考案の開示】
【考案が解決しようとする課題】
【０００５】
ところが、上記従来の印刷シートは、宛名用のラベルのように、台紙から剥離した後に封筒や葉書などの別の物に再び粘着させて使用したり、或いは、名刺のように、台紙から剥離することで粘着面の粘着力が無くなってそのまま使用するものであったために、印刷シートを用いて封筒や箸入れなどの袋状の物を形成することができなかった。
【０００６】
特に、名刺の場合には、シート状に形成されており、表面に会社名や氏名などを印刷していたために、個人の携帯電話番号やメールアドレスなどのなるべく秘匿しておきたい個人情報を特定の相手にだけ手渡すことが困難であった。
【課題を解決するための手段】
【０００７】
そこで、請求項１に係る本考案では、印刷シートにおいて、四角形状の印刷シートの表面に印刷面を形成するとともに、印刷シートの上辺側縁部及び下辺側縁部の裏面にだけ粘着面を形成し、印刷シートの右辺側縁部に凹部を形成することにした。
【０００８】
また、請求項２に係る本考案では、名刺において、四角形状の印刷シートの表面に印刷面を形成するとともに、印刷シートの上辺側縁部及び下辺側縁部の裏面にだけ粘着面を形成し、印刷シートの右辺側縁部に凹部を形成し、さらに、印刷シートの上辺側縁部と下辺側縁部の粘着面で接着した袋状の構造とすることにした。
【考案の効果】
【０００９】
そして、本考案では、以下に記載する効果を奏する。
【００１０】
すなわち、本考案では、印刷シートを左右中央部で裏面側に折り曲げるだけで袋状の構造とすることができ、表面に好みの画像や文字を印刷した封筒や箸入れなどの袋状の物を容易に作成することができる。
【００１１】
しかも、右辺側縁部に凹部を形成しているために、袋状に形成した物の開封を容易なものとすることができる。
【００１２】
特に、名刺を袋状に形成した場合には、表面に会社名や氏名などの秘匿性のない情報を印刷しておき、個人の携帯電話番号やメールアドレスなどの秘匿性の高い個人情報を印刷した別紙を袋内部に入れて特定の相手にだけ手渡すことができたり、或いは、抽選くじや特選情報などを印刷した別紙を袋内部に入れて特定の相手にだけ渡すことができ、名刺の活用範囲を広げることができる。
【考案を実施するための最良の形態】
【００１３】
以下に、本考案に係る印刷シート及び同印刷シートを用いた名刺の具体的な構成について図面を参照しながら説明する。
【００１４】
図１に示すように、印刷シート１は、四角形状をしており、コンピュータに接続したプリンターで印刷することができる印刷面２を表面に形成している。
【００１５】
また、印刷シート１は、対向する上辺３と下辺４の裏面に上辺３や下辺４に沿って帯状に粘着剤を塗布することで、上辺側縁部と下辺側縁部の裏面だけに粘着面5,6を形成している。なお、粘着面5,6は、図１に示すように上辺３や下辺４の全長に沿って形成した場合に限られず、上辺３や下辺４の左右いずれか半分だけに形成してもよい。
【００１６】
さらに、印刷シート１は、裏面の中央部に縦線状のミシン目７を形成するとともに、右辺８の中央部を切欠することで右辺側縁部に上下一対の凸部9,10とその間の凹部11とを形成している。
【００１７】
この印刷シート１は、１枚単体で形成してもよく、また、図２に示すように、台紙12に複数枚（ここでは、１０枚）の印刷シート１を各印刷シート１の粘着面5,6を剥離可能な状態で貼着して専用の用紙13を形成するようにしてもよい。このように、台紙12に複数枚の印刷シート１を貼着することで、複数枚の印刷シート１の印刷面２に同時に印刷することができる。
【００１８】
そして、印刷シート１は、裏面中央部のミシン目７に沿って左右中央部で裏面側に折り曲げることによって、図３に示すように、袋状の名刺14を形成することができる。なお、ここでは、袋状の名刺14を形成するようにしているが、サイズを適宜設定することで、封筒や箸入れなどの種々の袋状の物を形成することができる。また、印刷シート１は、凹部11によって露出した左辺15の裏面側縁部と上下の凸部9,10と右辺８の縁部とに改ざん防止シールなどの封印シールを貼着して封印することもできる。
【００１９】
以上に説明したように、印刷シート１は、四角形状の印刷シート１の表面に印刷面２を形成するとともに、印刷シート１の上辺側縁部及び下辺側縁部の裏面にだけ粘着面5,6を形成し、印刷シート１の右辺側縁部に凹部11を形成している。
【００２０】
そのため、上記印刷シート１では、印刷シート１を左右中央部で裏面側に折り曲げるだけで袋状の構造とすることができ、表面に好みの画像や文字を印刷した封筒や箸入れなどの袋状の物を容易に作成することができる。
【００２１】
しかも、上記印刷シート１では、右辺側縁部に凹部11を形成しているために、袋状に形成した物の開封を容易なものとすることができる。
【００２２】
また、上記印刷シート１を用いることで、印刷シート１の上辺側縁部と下辺側縁部の粘着面5,6で接着した袋状の構造の名刺14を形成することができ、このように名刺14を袋状に形成することで、表面に会社名や氏名などの秘匿性のない情報を印刷しておき、個人の携帯電話番号やメールアドレスなどの秘匿性の高い個人情報を印刷した別紙を袋内部に入れて特定の相手にだけ手渡すことができたり、或いは、抽選くじや特選情報などを印刷した別紙を袋内部に入れて特定の相手にだけ渡すことができ、名刺14の活用範囲を広げることができる。
【図面の簡単な説明】
【００２３】
【図１】本考案に係る印刷シートを示す正面図(a)及び背面図(b)。
【図２】専用の用紙を示す正面図。
【図３】本考案に係る名刺を示す正面図(a)及び背面図(b)。
【符号の説明】
【００２４】
１  印刷シート
２  印刷面
３  上辺
４  下辺
5,6  粘着面
７  ミシン目
８  右辺
9,10  凸部
11  凹部
12  台紙
13  用紙
14  名刺
15  左辺
【図１】
0003136590.tif 000003
【図２】
0003136590.tif 000004
【図３】
0003136590.tif 000005